【手続補正書】
【提出日】平成18年11月27日(2006.11.27)
【手続補正１】
【補正対象書類名】明細書
【補正対象項目名】特許請求の範囲
【補正方法】変更
【補正の内容】
【特許請求の範囲】
【請求項１】  複数の給紙段を有し、データ処理装置より供給される印刷データに基づいて画像を記録する画像記録装置であって、
各給紙段のメディア情報を記憶する記憶手段と、
前記印刷データにより指定される指定メディア情報を取得する指定メディア情報取得手段と、
前記記憶手段に記憶した各給紙段のメディア情報と、前記指定メディア情報取得手段により取得した指定メディア情報とを比較して属性が一致するかどうかを判断する判断手段と、
前記判断手段により前記属性が一致すると判断されたメディア情報の供給元である給紙段が存在すると判断した場合には、その中のいずれかの給紙段を選択する第１の選択手段と、
前記判断手段により前記属性が一致すると判断されるメディア情報の供給元である給紙段が存在しないと判断した場合には、特定の給紙段を選択する第２の選択手段と、
前記第１の選択手段または第２の選択手段で選択された給紙段のメディアの有無を検出するメディア検出手段と、
前記第１の選択手段で選択された給紙段のメディアが無い場合は、前記特定の給紙段を選択しないよう制御する制御手段と、
を有することを特徴とする画像記録装置。
【請求項２】  複数の給紙段を有し、データ処理装置より供給される印刷データに基づいて画像を記録する画像記録装置であって、
各給紙段のメディア情報を記憶する記憶手段と、
前記印刷データにより指定される指定メディア情報を取得する指定メディア情報取得手段と、
前記記憶手段に記憶した各給紙段のメディア情報と、前記指定メディア情報取得手段により取得した指定メディア情報とを比較して属性が一致するかどうかを判断する判断手段と、
前記判断手段により前記属性が一致すると判断されたメディア情報の供給元である給紙段が存在すると判断した場合には、その中のいずれかの給紙段を選択する第１の選択手段と、
前記判断手段により前記属性がも一致すると判断されるメディア情報の供給元である給紙段が存在しないと判断した場合には、特定の給紙段を選択する第２の選択手段と、
前記第２の選択手段により選択される特定の給紙段を予めユーザが設定することのできる第１の設定手段と、
前記第１の選択手段と前記第２の選択手段とのいずれかにより選択された給紙段より給紙することが可能であれば前記選択された給紙段を該印刷データの給紙手段として所定の画像記録処理を行う制御手段を有することを特徴とする画像記録装置。
【請求項３】  前記第２の選択手段により選択される特定の給紙段を予めユーザが設定することのできる第１の設定手段をさらに有することを特徴とする請求項１記載の画像記録装置。
【請求項４】  前記第１の選択手段の対象となる給紙段を予めユーザが設定することのできる第２の設定手段をさらに有することを特徴とする請求項１乃至３のいずれかに記載の画像記録装置。
【請求項５】  前記判断手段は、前記記憶手段により記憶された各給紙段のメディア情報と、前記指定メディア情報取得手段により取得した指定メディア情報とを比較して少なくともメディアサイズ情報、メディアタイプ情報、所定のメディアに対して論理的に設定されるメディア名称情報のいずれかひとつが一致しているかどうかを判断することを特徴とする請求項１乃至４のいずれかに記載の画像記録装置。
【請求項６】  前記第２の選択手段により選択される特定の給紙段は手差しトレイであることを特徴とする請求項１乃至５のいずれかに記載の画像記録装置。
【請求項７】  前記第２の選択手段により選択される特定の給紙段が前記第１の設定手段により設定されていない場合には、給紙段の優先順位に従って最も優先順位の高い給紙段を選択することを特徴とする請求項２乃至６のいずれかに記載の画像記録装置。
【請求項８】  前記第２の選択手段により選択される特定の給紙段が前記第１の設定手段により設定されていない場合には、それまでに選択されていた給紙段を選択することを特徴とする請求項２乃至７のいずれかに記載の画像記録装置。
【請求項９】  前記第１の選択手段と前記第２の選択手段とのいずれかにより選択された給紙段より給紙することが不可能であれば前記選択された給紙段に対する処置を促すメッセージを通知する通知手段と、を有することを特徴とする請求項１乃至８のいずれかに記載の画像記録装置。
【請求項１０】  複数の給紙段の各給紙段のメディア情報を記憶する記憶手段を有し、データ処理装置より供給される印刷データに基づいて画像を記録する画像記録装置における給紙制御方法であって、
前記印刷データにより指定される指定メディア情報を取得する指定メディア情報取得工程と、
前記記憶手段に記憶した各給紙段のメディア情報と、前記指定メディア情報取得工程により取得した指定メディア情報とを比較して属性が一致するかどうかを判断する判断工程と、
前記判断工程により前記属性が一致すると判断されたメディア情報の供給元である給紙段が存在すると判断した場合には、その中のいずれかの給紙段を選択する第１の選択工程と、
前記判断工程により前記属性が一致すると判断されるメディア情報の供給元である給紙段が存在しないと判断した場合には、特定の給紙段を選択する第２の選択工程と、
前記第１の選択工程または第２の選択工程で選択された給紙段のメディアの有無を検出するメディア検出工程と、
前記第１の選択工程で選択された給紙段のメディアが無い場合は、前記特定の給紙段を選択しないよう制御する制御工程と、
を有することを特徴とする給紙制御方法。
【請求項１１】  複数の給紙段の各給紙段のメディア情報を記憶する記憶手段を有し、データ処理装置より供給される印刷データに基づいて画像を記録する画像記録装置における給紙制御方法であって、
前記印刷データにより指定される指定メディア情報を取得する指定メディア情報取得工程と、
前記記憶手段に記憶した各給紙段のメディア情報と、前記指定メディア情報取得手段により取得した指定メディア情報とを比較して属性が一致するかどうかを判断する判断工程と、
前記判断工程により前記属性が一致すると判断されたメディア情報の供給元である給紙段が存在すると判断した場合には、その中のいずれかの給紙段を選択する第１の選択工程と、
前記判断工程により前記属性がも一致すると判断されるメディア情報の供給元である給紙段が存在しないと判断した場合には、特定の給紙段を選択する第２の選択工程と、
前記第２の選択工程により選択される特定の給紙段を予めユーザが設定することのできる第１の設定工程と、
前記第１の選択工程と前記第２の選択工程とのいずれかにより選択された給紙段より給紙することが可能であれば前記選択された給紙段を該印刷データの給紙手段として所定の画像記録処理を行う制御工程と、
を有することを特徴とする給紙制御方法。
【請求項１２】  前記第２の選択工程により選択される特定の給紙段を予めユーザが設定することのできる第１の設定工程をさらに有することを特徴とする請求項１０記載の画像記録装置。
【請求項１３】  前記第１の選択工程の対象となる給紙段を予めユーザが設定することのできる第２の設定工程をさらに有することを特徴とする請求項１０乃至１２のいずれかに記載の給紙制御方法。
【請求項１４】  前記判断工程は、前記記憶手段により記憶された各給紙段のメディア情報と、前記指定メディア情報取得工程により取得した指定メディア情報とを比較して少なくともメディアサイズ情報、メディアタイプ情報、所定のメディアに対して論理的に設定されるメディア名称情報のいずれかひとつが一致しているかどうかを判断することを特徴とする請求項１０乃至１３のいずれかに記載の給紙制御方法。
【請求項１５】  前記第２の選択工程により選択される特定の給紙段は手差しトレイであることを特徴とする請求項１０乃至１４のいずれかに記載の給紙制御方法。
【請求項１６】  前記第２の選択工程により選択される特定の給紙段が前記第１の設定工程により設定されていない場合には、給紙段の優先順位に従って最も優先順位の高い給紙段を選択することを特徴とする請求項１１乃至１５のいずれかに記載の給紙制御方法。
【請求項１７】  前記第２の選択工程により選択される特定の給紙段が前記第１の設定工程により設定されていない場合には、それまでに選択されていた給紙段を選択することを特徴とする請求項１０乃至１６のいずれかに記載の給紙制御方法。
【請求項１８】  前記第１の選択工程と前記第２の選択工程とのいずれかにより選択された給紙段より給紙することが不可能であれば前記選択された給紙段に対する処置を促すメッセージを通知する通知工程と、
を有することを特徴とする請求項１０乃至１７のいずれかに記載の給紙制御方法。
【請求項１９】  請求項１０〜１８のいずれかに記載の給紙制御方法をコンピュータに実行させるためのプログラムを格納したことを特徴とするコンピュータが読み取り可能な記憶媒体。
【請求項２０】  請求項１０〜１８のいずれかに記載の給紙制御方法をコンピュータに実行させることを特徴とするプログラム。
【手続補正２】
【補正対象書類名】明細書
【補正対象項目名】００１４
【補正方法】変更
【補正の内容】
【００１４】
本発明は、上記の課題を解決するためになされたもので、本発明の目的は、複数のユーザが利用するようなネットワーク環境下において、画像記録装置の各給紙段の設定状況を意識することなく、自動的な給紙段選択を支障なく行える画像記録装置および給紙制御方法およびコンピュータが読み取り可能なプログラムを格納した記憶媒体およびプログラムを提供することである。
【手続補正３】
【補正対象書類名】明細書
【補正対象項目名】００１５
【補正方法】変更
【補正の内容】
【００１５】
また、少なくともエスケープ給紙段以外の自動給紙選択対象の給紙段に関してはメディア設定を変更することなく運用して、複数のユーザが利用する環境において、給紙段のメディア設定に対するユーザの混乱を防ぐことができる画像記録装置および給紙制御方法およびコンピュータが読み取り可能なプログラムを格納した記憶媒体およびプログラムを提供することである。
【手続補正４】
【補正対象書類名】明細書
【補正対象項目名】００１７
【補正方法】変更
【補正の内容】
【００１７】
本発明は、複数の給紙段を有し、データ処理装置より供給される印刷データに基づいて画像を記録する画像記録装置であって、各給紙段のメディア情報を記憶する記憶手段と、前記印刷データにより指定される指定メディア情報を取得する指定メディア情報取得手段と、前記記憶手段に記憶した各給紙段のメディア情報と、前記指定メディア情報取得手段により取得した指定メディア情報とを比較して属性が一致するかどうかを判断する判断手段と、前記判断手段により前記属性が一致すると判断されたメディア情報の供給元である給紙段が存在すると判断した場合には、その中のいずれかの給紙段を選択する第１の選択手段と、前記判断手段により前記属性が一致すると判断されるメディア情報の供給元である給紙段が存在しないと判断した場合には、特定の給紙段を選択する第２の選択手段と、前記第１の選択手段または第２の選択手段で選択された給紙段のメディアの有無を検出するメディア検出手段とを有し、前記第１の選択手段で選択された給紙段のメディアが無い場合は、前記特定の給紙段を選択しないよう制御する制御手段を有することを特徴とする。
また、本発明は、複数の給紙段を有し、データ処理装置より供給される印刷データに基づいて画像を記録する画像記録装置であって、各給紙段のメディア情報を記憶する記憶手段と、前記印刷データにより指定される指定メディア情報を取得する指定メディア情報取得手段と、前記記憶手段に記憶した各給紙段のメディア情報と、前記指定メディア情報取得手段により取得した指定メディア情報とを比較して属性が一致するかどうかを判断する判断手段と、前記判断手段により前記属性が一致すると判断されたメディア情報の供給元である給紙段が存在すると判断した場合には、その中のいずれかの給紙段を選択する第１の選択手段と、前記判断手段により前記属性がも一致すると判断されるメディア情報の供給元である給紙段が存在しないと判断した場合には、特定の給紙段を選択する第２の選択手段と前記第２の選択手段により選択される特定の給紙段を予めユーザが設定することのできる第１の設定手段と、前記第１の選択手段と前記第２の選択手段とのいずれかにより選択された給紙段より給紙することが可能であれば前記選択された給紙段を該印刷データの給紙手段として所定の画像記録処理を行う制御手段を有することを特徴とする。
【手続補正５】
【補正対象書類名】明細書
【補正対象項目名】００１９
【補正方法】変更
【補正の内容】
【００１９】
本発明は、複数の給紙段の各給紙段のメディア情報を記憶する記憶手段を有し、データ処理装置より供給される印刷データに基づいて画像を記録する画像記録装置における給紙制御方法であって、前記印刷データにより指定される指定メディア情報を取得する指定メディア情報取得工程と、前記記憶手段に記憶した各給紙段のメディア情報と、前記指定メディア情報取得工程により取得した指定メディア情報とを比較して属性が一致するかどうかを判断する判断工程と、前記判断工程により前記属性が一致すると判断されたメディア情報の供給元である給紙段が存在すると判断した場合には、その中のいずれかの給紙段を選択する第１の選択工程と、前記判断工程により前記属性が一致すると判断されるメディア情報の供給元である給紙段が存在しないと判断した場合には、特定の給紙段を選択する第２の選択工程と、前記第１の選択工程または第２の選択工程で選択された給紙段のメディアの有無を検出するメディア検出工程とを有し、前記第１の選択工程で選択された給紙段のメディアが無い場合は、前記特定の給紙段を選択しないよう制御する制御工程を有することを特徴とする。
また、本発明は、複数の給紙段の各給紙段のメディア情報を記憶する記憶手段を有し、データ処理装置より供給される印刷データに基づいて画像を記録する画像記録装置における給紙制御方法であって、前記印刷データにより指定される指定メディア情報を取得する指定メディア情報取得工程と、前記記憶手段に記憶した各給紙段のメディア情報と、前記指定メディア情報取得手段により取得した指定メディア情報とを比較して属性が一致するかどうかを判断する判断工程と、前記判断工程により前記属性が一致すると判断されたメディア情報の供給元である給紙段が存在すると判断した場合には、その中のいずれかの給紙段を選択する第１の選択工程と、前記判断工程により前記属性がも一致すると判断されるメディア情報の供給元である給紙段が存在しないと判断した場合には、特定の給紙段を選択する第２の選択工程と、前記第２の選択工程により選択される特定の給紙段を予めユーザが設定することのできる第１の設定工程と、前記第１の選択工程と前記第２の選択工程とのいずれかにより選択された給紙段より給紙することが可能であれば前記選択された給紙段を該印刷データの給紙手段として所定の画像記録処理を行う制御工程を有することを特徴とする。
【手続補正６】
【補正対象書類名】明細書
【補正対象項目名】０１７１
【補正方法】変更
【補正の内容】
【０１７１】
【発明の効果】
以上説明したように、本発明によれば、少なくとも特定の給紙段以外の自動給紙選択対象の給紙段に関してはメディア設定を変更することなく運用して、複数のユーザが利用する環境において、給紙段のメディア設定に対するユーザの混乱を防ぐことができる等の効果を奏する。
【手続補正７】
【補正対象書類名】明細書
【補正対象項目名】０１７２
【補正方法】変更
【補正の内容】
【０１７２】
また、様々なユーザがプリンタを共有するネットワークプリント環境下において、あらかじめ設定される給紙段では印刷処理が中断してしまうような事態において、ユーザが意図する給紙段あるいは特定の給紙段を選択させて印刷処理を続行して、プリンタのスプール能力に影響を与えることなく、受信した印刷データを効率よく処理することができるとともに、意図しない給紙段が自動選択されてしまう事態をも確実に回避できるネットワークプリント処理環境を自在に構築することができる。
【手続補正８】
【補正対象書類名】明細書
【補正対象項目名】０１７３
【補正方法】削除
【補正の内容】